(57)【要約】【課題】コイルエンド部の成形容易化及び小型化を図ることができるモータ用ステータを提供すること。【解決手段】３相のコイルは、ステータコアの周方向Ｃを一巡するターンを形成する波巻コイル部４Ｕ、４Ｖ、４Ｗを、ステータコアの径方向Ｒに複数ターンに重ねて配置してそれぞれ構成してある。各相のコイル３Ｕ、３Ｖ、３Ｗにおける複数ターンの波巻コイル部４Ｕ、４Ｖ、４Ｗのうち、少なくともいずれかのターンの波巻コイル部４Ｕ、４Ｖ、４Ｗは、互いに交錯することなく平行に隣接する複数本の導体４０による１組のターンを構成している。１組のターンを構成する複数本の導体４０は、スロット導体部４１においては、ステータコアの周方向Ｃに隣接すると共に、コイルエンド導体部４２においては、ステータコア２の軸方向Ｄに隣接している。【選択図】図３
2009033831.tif 000002
【特許請求の範囲】
【請求項１】
複数のスロットを備えたステータコアと、上記複数のスロットに所定のスロット数を空けて分布巻き状態で配置したＵ相、Ｖ相及びＷ相の３相のコイルとを有するモータ用ステータにおいて、
上記３相のコイルは、上記ステータコアの周方向を一巡するターンを形成する波巻コイル部を用いて構成してあり、該波巻コイル部は、上記スロット内に配置する複数のスロット導体部同士を、上記ステータコアの軸方向一端側と軸方向他端側とにおいて、上記スロットの外部に突出配置するコイルエンド導体部によって交互に繋いでなり、
上記ステータコアの軸方向両端部においては、上記３相の波巻コイル部における上記コイルエンド導体部によって、コイルエンド部をそれぞれ形成しており、
上記各相のコイルは、互いに交錯することなく平行に隣接する複数本の導体による１組のターンの上記波巻コイル部をそれぞれ有しており、該１組のターンを構成する複数本の導体は、上記スロット導体部においては、上記ステータコアの周方向に隣接すると共に、上記コイルエンド導体部においては、上記ステータコアの軸方向に隣接していることを特徴とするモータ用ステータ。
【請求項２】
請求項１において、上記Ｕ相のコイルにおける上記スロット導体部を配置したＵ相のスロットと、上記Ｖ相のコイルにおける上記スロット導体部を配置したＶ相のスロットと、上記Ｗ相のコイルにおける上記スロット導体部を配置したＷ相のスロットとが、１つずつ同じ順序で形成されていることを特徴とするモータ用ステータ。
【請求項３】
請求項１又は２において、上記１組のターンを構成する複数本の導体は、複数本の断面略角形状の角導体であり、
上記コイルエンド導体部を構成する上記複数本の角導体のうち、上記ステータコアの軸方向一端側において上記一対のスロット導体部と上記コイルエンド導体部とによって形成されるＵ形状の最内周側に位置する角導体は、上記ステータコアの軸方向他端側においては上記Ｕ形状の最外周側に位置していることを特徴とするモータ用ステータ。
【請求項４】
請求項３において、上記１組のターンを構成する複数本の導体は、２本の断面略角形状の角導体であり、
上記コイルエンド導体部を構成する上記２本の角導体のうち、いずれか一方の角導体は、上記ステータコアの軸方向一端側においては上記Ｕ形状の内周側に位置し、上記ステータコアの軸方向他端側においては上記Ｕ形状の外周側に位置する一方、他方の角導体は、上記ステータコアの軸方向一端側においては上記Ｕ形状の外周側に位置し、上記ステータコアの軸方向他端側においては上記Ｕ形状の内周側に位置していることを特徴とするモータ用ステータ。
【請求項５】
請求項１〜４のいずれか一項において、上記１組のターンを構成する上記３相の波巻コイル部の上記コイルエンド導体部は、上記ステータコアの径方向における内外周に重なる上記導体が略２本分の径方向幅の範囲内で配置してあり、かつ、当該３相の波巻コイル部のうちいずれか１相の波巻コイル部の上記コイルエンド導体部は、上記ステータコアの周方向における中間部において折れ曲がって、上記ステータコアの径方向における内周側に位置する内周側の曲率半径によって形成された内周側導体部分と、上記ステータコアの径方向における外周側に位置する外周側の曲率半径によって形成された外周側導体部分とによって構成してあり、残りの２相の波巻コイル部の上記コイルエンド導体部は、一方が上記内周側導体部分と略同一の曲率半径によって形成してあると共に、他方が上記外周側導体部分と略同一の曲率半径によって形成してあることを特徴とするモータ用ステータ。
【請求項６】
請求項１〜５のいずれか一項において、上記３相のコイルは、上記波巻コイル部を上記ステータコアの径方向に複数ターンに重ねて配置してそれぞれ構成してあり、
上記各相のスロットには、上記各相の波巻コイル部における上記スロット導体部が、上記ステータコアの径方向における内外周に重ねて配置してあり、
上記ステータコアの軸方向両端部における上記コイルエンド部は、上記３相の波巻コイル部における上記コイルエンド導体部を、所定の配置パターンで上記ステータコアの周方向に並べると共に上記ステータコアの径方向の内外周に重ねて配置してそれぞれ形成してあり、
上記各相のコイルは、少なくとも第１の上記１組のターンの波巻コイル部と、第２の上記１組のターンの波巻コイル部とを有しており、当該第１の１組のターンの波巻コイル部における上記スロット導体部と、当該第２の１組のターンの波巻コイル部における上記スロット導体部とは、同じ上記スロット内において上記ステータコアの径方向に隣接して配置されており、
上記第１の１組のターンの波巻コイル部において、いずれかの上記スロットに挿入される上記スロット導体部と同一相の次の上記スロットに挿入される上記スロット導体部とを接続する上記コイルエンド導体部と、上記第２の１組のターンの波巻コイル部において、上記いずれかのスロットに挿入される上記スロット導体部と上記同一相の次のスロットに挿入される上記スロット導体部とを接続する上記コイルエンド導体部とは、上記ステータコアの軸方向における同一側において、径方向に重ねて配置されていることを特徴とするモータ用ステータ。
【請求項７】
請求項６において、上記ステータコアの径方向の内外周に重ねて配置された上記複数のコイルエンド導体部は、上記３相のコイルにおける上記コイルエンド導体部のうち、いずれか２相のコイルにおける上記複数のコイルエンド導体部のみであることを特徴とするモータ用ステータ。
【請求項８】
請求項１〜５のいずれか一項において、上記３相のコイルは、上記波巻コイル部を上記ステータコアの径方向に複数ターンに重ねて配置してそれぞれ構成してあり、
上記各相のスロットには、上記各相の波巻コイル部における上記スロット導体部が、上記ステータコアの径方向における内外周に重ねて配置してあり、
上記ステータコアの軸方向両端部における上記コイルエンド部は、上記３相の波巻コイル部における上記コイルエンド導体部を、所定の配置パターンで上記ステータコアの周方向に並べると共に上記ステータコアの径方向の内外周に重ねて配置してそれぞれ形成してあり、
上記各相のコイルは、少なくとも第１の上記１組のターンの波巻コイル部と、第２の上記１組のターンの波巻コイル部とを有しており、当該第１の１組のターンの波巻コイル部における上記スロット導体部と、当該第２の１組のターンの波巻コイル部における上記スロット導体部とは、同じ上記スロット内において上記ステータコアの径方向に隣接して配置されており、
上記第１の１組のターンの波巻コイル部において、いずれかの上記スロットに挿入される上記スロット導体部と同一相の次の上記スロットに挿入される上記スロット導体部とを接続する上記コイルエンド導体部は、上記ステータコアの軸方向一端側に配置されており、
上記第２の１組のターンの波巻コイル部において、上記いずれかのスロットに挿入される上記スロット導体部と上記同一相の次のスロットに挿入される上記スロット導体部とを接続する上記コイルエンド導体部は、上記ステータコアの軸方向他端側に配置されていることを特徴とするモータ用ステータ。
【請求項９】
請求項１〜８のいずれか一項において、上記３相のコイルにおける上記複数ターンの波巻コイル部において、上記スロット導体部を構成する上記複数本の導体は、いずれも同一断面形状を有していることを特徴とするモータ用ステータ。
【請求項１０】
請求項１〜９のいずれか一項において、上記各相のコイルにおいて上記複数ターンの波巻コイル部同士を接続する渡線部のすべては、上記ステータコアの軸方向一端側に配置してあることを特徴とするモータ用ステータ。
【発明の詳細な説明】
【技術分野】
【０００１】
本発明は、ステータコアにおける複数のスロット内に、分布巻き状態で３相のコイルを配置してなるモータ用ステータに関する。
【背景技術】
【０００２】
Ｕ相、Ｖ相及びＷ相の３相のコイルをステータコアに配置してなる３相モータ用のステータは、その多くが絶縁被覆してなる断面円形状の銅線を複数回巻回してなる３相のコイルを用いて形成している。一方、コイルエンド部（コイルの一部がステータコアの軸方向端面から突出してなる部分）の小型化や、コイルをステータコアに組み付ける工程の簡略化等を目的として、コイルをステータコアに組み付ける種々の方法が考えられている。
【０００３】
例えば、特許文献１の交流発電機の固定子においては、３相の巻線を構成する導体線を、スロットの両端から延出し、周方向の両側に振り分けて周方向の両側に所定スロット離れたスロットにそれぞれ入るようにしている。また、導体線は、スロットに収納されるスロット収納部を断面扁平に成形し、スロット収納部の端部同士を連結するコイルエンド部を断面略円形に成形している。
【０００４】
しかしながら、特許文献１においては、１０本の導体線のスロット収容部を各スロットに配置する際に、５本の導体線のコイルエンド部を束にすると共に、残りの５本の導体線のコイルエンド部を束にし、これらのコイルエンド部の束同士が軸方向で相対するようにしている。そのため、１０本のスロット収容部を各スロットに配置する際には、５本の導体線と残りの５本の導体線とが交錯することになり、コイルエンド部の成形が容易ではなく、コイルエンド部を小型化することも容易ではない。
【０００５】
なお、特許文献２においては、一相を構成する複数の巻線を平行に配置する旨の開示がなされている。しかしながら、特許文献２においては、複数の巻線をどのようにしてスロットに配置するかの工夫は何らなされておらず、コイルエンド部を小型化する工夫も何らなされていない。
【０００６】
【特許文献１】特許第３５６１２４９号公報
【特許文献２】特表２００２−５３９７４７号公報
【発明の開示】
【発明が解決しようとする課題】
【０００７】
本発明は、かかる従来の問題点に鑑みてなされたもので、コイルエンド部の成形容易化及び小型化を図ることができるモータ用ステータを提供しようとするものである。
【課題を解決するための手段】
【０００８】
本発明は、複数のスロットを備えたステータコアと、上記複数のスロットに所定のスロット数を空けて分布巻き状態で配置したＵ相、Ｖ相及びＷ相の３相のコイルとを有するモータ用ステータにおいて、
上記３相のコイルは、上記ステータコアの周方向を一巡するターンを形成する波巻コイル部を用いて構成してあり、該波巻コイル部は、上記スロット内に配置する複数のスロット導体部同士を、上記ステータコアの軸方向一端側と軸方向他端側とにおいて、上記スロットの外部に突出配置するコイルエンド導体部によって交互に繋いでなり、
上記ステータコアの軸方向両端部においては、上記３相の波巻コイル部における上記コイルエンド導体部によって、コイルエンド部をそれぞれ形成しており、
上記各相のコイルは、互いに交錯することなく平行に隣接する複数本の導体による１組のターンの上記波巻コイル部をそれぞれ有しており、該１組のターンを構成する複数本の導体は、上記スロット導体部においては、上記ステータコアの周方向に隣接すると共に、上記コイルエンド導体部においては、上記ステータコアの軸方向に隣接していることを特徴とするモータ用ステータにある（請求項１）。
【０００９】
本発明は、波巻コイル部を用いて３相のコイルをそれぞれ形成してなるモータ用ステータにおいて、ステータコアの軸方向に突出して配置されるコイルエンド部の成形容易化及び小型化を図るための工夫を行っている。
【００１０】
具体的には、本発明においては、各相のコイルは、互いに交錯することなく平行に隣接する複数本の導体による１組のターンの波巻コイル部をそれぞれ有している。そして、複数本の導体は、スロット導体部においては、ステータコアの周方向に隣接すると共に、コイルエンド導体部においては、ステータコアの軸方向に隣接している。これにより、コイルエンド導体部において導体を屈曲させる際には、複数本分の曲げ方向の幅を有する導体を屈曲させるのに比べて、複数本の導体をそれぞれ屈曲させることができる。そのため、波巻コイル部を構成する導体を屈曲させることが容易になり、コイルエンド部の成形を容易にすることができる。
【００１１】
また、上記波巻コイル部を用いて形成した３相のコイルのコイルエンド導体部によるコイルエンド部においては、Ｕ相、Ｖ相、Ｗ相の各相間のコイルエンド導体部同士の交錯を防止することができる。
それ故、本発明によれば、コイルエンド部の成形容易化及び小型化を図ることができるモータ用ステータを提供することができる。
【発明を実施するための最良の形態】
【００１２】
上述した本発明における好ましい実施の形態につき説明する。
本発明において、上記モータ用ステータは、電動機、発電機又はモータジェネレータのいずれのステータ（固定子）として用いることもできる。
また、上記Ｕ相のコイルにおける上記スロット導体部を配置したＵ相のスロットと、上記Ｖ相のコイルにおける上記スロット導体部を配置したＶ相のスロットと、上記Ｗ相のコイルにおける上記スロット導体部を配置したＷ相のスロットとは、１つずつ同じ順序で形成することが好ましい（請求項２）。
この場合には、コイルエンド部の成形容易化及び小型化を一層容易に図ることができる。
【００１３】
また、上記１組のターンを構成する複数本の導体は、複数本の断面略角形状の角導体であり、上記コイルエンド導体部を構成する上記複数本の角導体のうち、上記ステータコアの軸方向一端側において上記一対のスロット導体部と上記コイルエンド導体部とによって形成されるＵ形状の最内周側に位置する角導体は、上記ステータコアの軸方向他端側においては上記Ｕ形状の最外周側に位置していることが好ましい（請求項３）。
【００１４】
この場合には、角導体を用いることによって、各スロット内における複数のスロット導体部の占積率を向上させることができる。また、１組のターンを構成する波巻コイル部を複数本の角導体から構成することにより、角導体を屈曲させることが容易であり、コイルエンド部を一層小型化させることができる。
【００１５】
また、上記１組のターンを構成する複数本の導体は、２本の断面略角形状の角導体であり、上記コイルエンド導体部を構成する上記２本の角導体のうち、いずれか一方の角導体は、上記ステータコアの軸方向一端側においては上記Ｕ形状の内周側に位置し、上記ステータコアの軸方向他端側においては上記Ｕ形状の外周側に位置する一方、他方の角導体は、上記ステータコアの軸方向一端側においては上記Ｕ形状の外周側に位置し、上記ステータコアの軸方向他端側においては上記Ｕ形状の内周側に位置していることがさらに好ましい（請求項４）。
この場合には、１組のターンを構成する波巻コイル部を２本の角導体から構成することにより、角導体を屈曲させることが容易であり、コイルエンド部を一層小型化させることができる。
【００１６】
また、上記１組のターンを構成する上記３相の波巻コイル部の上記コイルエンド導体部は、上記ステータコアの径方向における内外周に重なる上記導体が略２本分の径方向幅の範囲内で配置してあり、かつ、当該３相の波巻コイル部のうちいずれか１相の波巻コイル部の上記コイルエンド導体部は、上記ステータコアの周方向における中間部において折れ曲がって、上記ステータコアの径方向における内周側に位置する内周側の曲率半径によって形成された内周側導体部分と、上記ステータコアの径方向における外周側に位置する外周側の曲率半径によって形成された外周側導体部分とによって構成してあり、残りの２相の波巻コイル部の上記コイルエンド導体部は、一方が上記内周側導体部分と略同一の曲率半径によって形成してあると共に、他方が上記外周側導体部分と略同一の曲率半径によって形成してあることが好ましい（請求項５）。
この場合には、各ターンの３相の波巻コイル部を、コイルエンド部においてスペース効率よく配置することができる。そして、複数のターンの波巻コイル部によるコイルエンド部を容易に小型化することができる。
【００１７】
また、上記３相のコイルは、上記波巻コイル部を上記ステータコアの径方向に複数ターンに重ねて配置してそれぞれ構成してあり、上記各相のスロットには、上記各相の波巻コイル部における上記スロット導体部が、上記ステータコアの径方向における内外周に重ねて配置してあり、上記ステータコアの軸方向両端部における上記コイルエンド部は、上記３相の波巻コイル部における上記コイルエンド導体部を、所定の配置パターンで上記ステータコアの周方向に並べると共に上記ステータコアの径方向の内外周に重ねて配置してそれぞれ形成してあり、上記各相のコイルは、少なくとも第１の上記１組のターンの波巻コイル部と、第２の上記１組のターンの波巻コイル部とを有しており、当該第１の１組のターンの波巻コイル部における上記スロット導体部と、当該第２の１組のターンの波巻コイル部における上記スロット導体部とは、同じ上記スロット内において上記ステータコアの径方向に隣接して配置し、上記第１の１組のターンの波巻コイル部において、いずれかの上記スロットに挿入される上記スロット導体部と同一相の次の上記スロットに挿入される上記スロット導体部とを接続する上記コイルエンド導体部と、上記第２の１組のターンの波巻コイル部において、上記いずれかのスロットに挿入される上記スロット導体部と上記同一相の次のスロットに挿入される上記スロット導体部とを接続する上記コイルエンド導体部とは、上記ステータコアの軸方向における同一側において、径方向に重ねて配置することができる（請求項６）。
【００１８】
この場合には、ステータコアの軸方向両端部におけるコイルエンド部において、Ｕ相、Ｖ相、Ｗ相の各相間のコイルエンド導体部同士の交錯を防止することができると共に、Ｕ相、Ｖ相、Ｗ相の各相のコイルにおいて、各ターン毎のコイルエンド導体部の交錯を防止することもできる。また、この場合には、コイルエンド部を一層容易に小型化することができる。
【００１９】
また、上記ステータコアの径方向の内外周に重ねて配置された上記複数のコイルエンド導体部は、上記３相のコイルにおける上記コイルエンド導体部のうち、いずれか２相のコイルにおける上記複数のコイルエンド導体部のみであることが好ましい（請求項７）。
この場合には、コイルエンド部を一層容易に小型化することができる。
【００２０】
また、上記３相のコイルは、上記波巻コイル部を上記ステータコアの径方向に複数ターンに重ねて配置してそれぞれ構成してあり、上記各相のスロットには、上記各相の波巻コイル部における上記スロット導体部が、上記ステータコアの径方向における内外周に重ねて配置してあり、上記ステータコアの軸方向両端部における上記コイルエンド部は、上記３相の波巻コイル部における上記コイルエンド導体部を、所定の配置パターンで上記ステータコアの周方向に並べると共に上記ステータコアの径方向の内外周に重ねて配置してそれぞれ形成してあり、上記各相のコイルは、少なくとも第１の上記１組のターンの波巻コイル部と、第２の上記１組のターンの波巻コイル部とを有しており、当該第１の１組のターンの波巻コイル部における上記スロット導体部と、当該第２の１組のターンの波巻コイル部における上記スロット導体部とは、同じ上記スロット内において上記ステータコアの径方向に隣接して配置し、上記第１の１組のターンの波巻コイル部において、いずれかの上記スロットに挿入される上記スロット導体部と同一相の次の上記スロットに挿入される上記スロット導体部とを接続する上記コイルエンド導体部は、上記ステータコアの軸方向一端側に配置し、上記第２の１組のターンの波巻コイル部において、上記いずれかのスロットに挿入される上記スロット導体部と上記同一相の次のスロットに挿入される上記スロット導体部とを接続する上記コイルエンド導体部は、上記ステータコアの軸方向他端側に配置することもできる（請求項８）。
【００２１】
この場合には、ステータコアの軸方向両端部におけるコイルエンド部において、Ｕ相、Ｖ相、Ｗ相の各相間のコイルエンド導体部同士の交錯を防止することができると共に、Ｕ相、Ｖ相、Ｗ相の各相のコイルにおいて、各ターン毎のコイルエンド導体部の交錯を防止することもできる。また、この場合には、コイルエンド部を一層容易に小型化することができる。
【００２２】
また、上記３相のコイルにおける上記複数ターンの波巻コイル部において、上記スロット導体部を構成する上記複数本の角導体は、いずれも同一断面形状を有していることが好ましい（請求項９）。
この場合には、波巻コイル部の製造管理が容易になる。
【００２３】
また、上記各相のコイルにおいて上記複数ターンの波巻コイル部同士を接続する渡線部のすべては、上記ステータコアの軸方向一端側に配置してあることが好ましい（請求項１０）。
この場合には、すべての渡線部が、ステータコアの軸方向一端側に配置され、渡線部と波巻コイル部との接合が容易になる。また、特にステータコアの軸方向他端側のコイルエンド部を一層小型化することができる。
また、上記渡線部は、上記波巻コイル部から連続して形成することができ、上記波巻コイル部とは別体の導体によって形成することもできる。
【００２４】
また、３相のコイルにスター結線を行う場合には、３相のコイルの引出端部及び中性点も、上記渡線部のすべてを配置した軸方向一端側に配置することが好ましい。また、３相のコイルにデルタ結線を行う場合には、３相のコイルの引出端部も、上記渡線部のすべてを配置した軸方向一端側に配置することが好ましい。
【実施例】
【００２５】
以下に、本発明のモータ用ステータにかかる実施例１、２につき、図面と共に説明する。
（実施例１）
本例のモータ用ステータ１は、図１、図４に示すごとく、複数のスロット２１を備えたステータコア２と、複数のスロット２１に所定のスロット数を空けて分布巻き状態で配置したＵ相、Ｖ相及びＷ相の３相のコイル３Ｕ、３Ｖ、３Ｗとを有している。
３相のコイル３Ｕ、３Ｖ、３Ｗは、図３、図７に示すごとく、ステータコア２の周方向Ｃを一巡するターンを形成する波巻コイル部４Ｕ、４Ｖ、４Ｗを、ステータコア２の径方向Ｒに複数ターンに重ねて配置してそれぞれ構成してある。なお、図３においては、Ｕ相、Ｖ相、Ｗ相のコイル３Ｕ、３Ｖ、３Ｗのそれぞれについて、波巻コイル部４Ｕ、４Ｖ、４Ｗ同士を接続する渡線部５が省略してある。
【００２６】
各相の波巻コイル部４Ｕ、４Ｖ、４Ｗは、スロット２１内に配置する複数のスロット導体部４１同士を、ステータコア２の軸方向一端側Ｄ１と軸方向他端側Ｄ２とにおいて、スロット２１の外部に突出配置するコイルエンド導体部４２によって交互に繋いでなる。また、図７に示すごとく、３相のコイル３Ｕ、３Ｖ、３Ｗは、波巻コイル部４Ｕ、４Ｖ、４Ｗを、ステータコア２の径方向Ｒにおける内外周に複数ターンに重ねた状態で渡線部５を介して接合してそれぞれ構成される。
【００２７】
図４に示すごとく、Ｕ相の波巻コイル部４Ｕにおける複数のスロット導体部４１は、複数のＵ相のスロット２１Ｕのうちのいずれかから、順次Ｖ相、Ｗ相のスロット分を空けて、他のＵ相のスロット２１Ｕにそれぞれ配置してある。Ｖ相の波巻コイル部４Ｖにおける複数のスロット導体部４１は、複数のＶ相のスロット２１Ｖのうちのいずれかから、順次Ｕ相、Ｗ相のスロット分を空けて、他のＶ相のスロット２１Ｖにそれぞれ配置してある。Ｗ相の波巻コイル部４Ｗにおける複数のスロット導体部４１は、複数のＷ相のスロット２１Ｗのうちのいずれかから、順次Ｕ相、Ｖ相のスロット分を空けて、他のＷ相のスロット２１Ｗにそれぞれ配置してある。
また、モータ用ステータ１においては、Ｕ相のコイル３Ｕにおけるスロット導体部４１を配置したＵ相のスロット２１Ｕと、Ｖ相のコイル３Ｖにおけるスロット導体部４１を配置したＶ相のスロット２１Ｖと、Ｗ相のコイル３Ｗにおけるスロット導体部４１を配置したＷ相のスロット２１Ｗとが、１つずつ同じ順序で形成されている。
【００２８】
また、同図に示すごとく、各相のスロット２１には、各相の波巻コイル部４Ｕ、４Ｖ、４Ｗにおけるスロット導体部４１が、ステータコア２の径方向Ｒにおける内外周に重ねて配置してある。図１に示すごとく、ステータコア２の軸方向Ｄの両端部においては、３相の波巻コイル部４Ｕ、４Ｖ、４Ｗにおけるコイルエンド導体部４２を、所定の配置パターンでステータコア２の周方向Ｃに並べると共にステータコア２の径方向Ｒにおける内外周に重ねて配置して、コイルエンド部３１がそれぞれ形成されている。
【００２９】
図３、図７、図８に示すごとく、各相のコイル３Ｕ、３Ｖ、３Ｗにおける複数ターンの波巻コイル部４Ｕ、４Ｖ、４Ｗのうち、少なくともいずれかのターンの波巻コイル部４Ｕ、４Ｖ、４Ｗは、互いに交錯することなく平行に隣接する複数本（本例では２本）の導体（絶縁被覆した銅線等）４０による１組のターンを構成している。この１組のターンを構成する複数本（本例では２本）の導体４０は、スロット導体部４１においては、ステータコア２の周方向Ｃに隣接すると共に、コイルエンド導体部４２においては、ステータコア２の軸方向Ｄに隣接している。
【００３０】
以下に、本例のモータ用ステータ１につき、図１〜図１０と共に詳説する。
図１に示すごとく、本例のモータ用ステータ１は、ハイブリッドカー又は電気自動車等に使用する３相交流モータに用いるものであり、Ｕ相、Ｖ相及びＷ相の３相のコイル３Ｕ、３Ｖ、３Ｗをステータコア２に組み付けて構成してある。
図４に示すごとく、本例の各相の波巻コイル部４Ｕ、４Ｖ、４Ｗは、断面略角形状の角導体４０によって形成してある。本例の角導体４０は、断面略長方形（４つの角部がＲ形状を有している。）に形成してあり、ステータコア２の周方向Ｃに幅広の辺を配置して、スロット２１に配置されている。なお、各相の波巻コイル部４Ｕ、４Ｖ、４Ｗは、断面円形状の丸導体を押し潰した断面扁平形状の導体から形成することもできる。
【００３１】
本例の３相の波巻コイル４Ｕ、４Ｖ、４Ｗを構成する角導体４０の断面積は全長において一定であり、各相間においても、角導体４０の断面積は同一である。
また、図４に示すごとく、本例のスロット２１は、断面形状が同じ角導体４０からなる複数のスロット導体部４１を、内周側から挿入配置するために、周方向Ｃの幅がほぼ一定に形成されている。
ステータコア２においては、Ｕ相のスロット２１Ｕ、Ｖ相のスロット２１Ｖ及びＷ相のスロット２１Ｗが、周方向Ｃに向けて１つずつ順番に繰り返して形成してある。本例のスロット２１の数は２４であり、Ｕ相のスロット２１Ｕ、Ｖ相のスロット２１Ｖ及びＷ相のスロット２１Ｗは、それぞれ８つずつ形成してある（図２参照）。
【００３２】
図７は、ステータコア２に組み付けた状態のＵ相のコイル３Ｕを、平面状態に展開して模式的に示す図である。同図に示すごとく、本例のＵ相のコイル３Ｕは、７ターン分Ｔ（１）〜（７）の波巻コイル部４Ｕ（Ａ）〜（Ｄ）を、渡線部５を介して接合して形成してある。本例のＵ相のコイル３Ｕは、２本１組のターンが３組（６ターン分）４Ｕ（Ａ）〜４Ｕ（Ｃ）と、１本の１ターン４Ｕ（Ｄ）とからなる。
同図において、４Ｕ（Ａ）は、最外周側に位置する２本１組のターンである第１組を示し、この第１組は２つのターンＴ（１）、（２）からなる。また、４Ｕ（Ｂ）は、第１組の内周側に位置する２本１組のターンである第２組を示し、この第２組は２つのターンＴ（３）、（４）からなる。また、４Ｕ（Ｃ）は、第２組の内周側に位置する２本１組のターンである第３組を示し、この第３組は２つのターンＴ（５）、（６）からなる。また、４Ｕ（Ｄ）は、第３組の内周側に位置する１本のターンＴ（７）を示す。
【００３３】
また、同図において、Ｕ相のコイル３Ｕの一方の端部を符号６（Ａ）で示し、他方の端部を符号６（Ｂ）で示す。本例においては、各端部６（Ａ）、（Ｂ）は、いずれか一方が引出端部４４Ｕ、４４Ｖ、４４Ｗとなり、他方が中性点Ｐとなる（図９、図１０参照）。また、丸で囲んだ数字１〜３は、互いに繋がっていることを示す。
【００３４】
また、各スロット２１において、ステータコア２の外周側（スロット２１の底側）に位置する２本１組で３組分のターン（６ターン分）のＵ相の波巻コイル部４Ｕ（Ａ）〜（Ｃ）は、互いに交錯することなく平行に隣接する２本の断面略角形状の角導体４０によって形成してあり、ステータコア２の内周側（スロット２１の開口側）に位置する１ターン分のＵ相の波巻コイル部４Ｕ（Ｄ）は、１本の断面略角形状の角導体４０によって形成してある。
【００３５】
また、上記２本１組で３組分のターン（６ターン分）のＵ相の波巻コイル部４Ｕ（Ａ）〜（Ｃ）における２本の角導体４０は、スロット導体部４１においては、ステータコア２の径方向Ｒに隣接すると共に、コイルエンド導体部４２においては、ステータコア２の軸方向Ｄに隣接して配置してある（図３参照）。
なお、図３、図７は、Ｕ相の波巻コイル部４Ｕを示すが、Ｖ相、Ｗ相の波巻コイル４Ｖ、４Ｗについても、同様の構造を有している。
また、各相のコイル３Ｕ、３Ｖ、３Ｗを構成する複数ターンの波巻コイル部４Ｕ、４Ｖ、４Ｗのすべてを、互いに交錯することなく平行に隣接する複数本（例えば２本）の導体４０によって形成することもできる。
【００３６】
また、図３、図７に示すごとく、上記１組のターンを構成する波巻コイル部４Ｕ、４Ｖ、４Ｗにおいて、コイルエンド導体部４２を構成する２本の角導体４０のうち、ステータコア２の軸方向一端側Ｄ１において一対のスロット導体部４１とコイルエンド導体部４２とによって形成されるＵ形状の最内周側に位置する角導体４０は、ステータコア２の軸方向他端側Ｄ２においては上記Ｕ形状の最外周側に位置している。
本例においては、上記１組のターンを構成する波巻コイル部４Ｕ、４Ｖ、４Ｗにおいて、コイルエンド導体部４２を構成する２本の角導体４０のうち、いずれか一方の角導体４０は、軸方向一端側Ｄ１においては、上記Ｕ形状の内周側に位置し（コイルエンド導体部４２においては、軸方向Ｄの内方に位置し）、軸方向他端側Ｄ２においては、上記Ｕ形状の外周側に位置する（コイルエンド導体部４２においては、軸方向Ｄの外方に位置する）。一方、スロット導体部４１を構成する２本の角導体４０のうち、他方の角導体４０は、軸方向一端側Ｄ１においては、上記Ｕ形状の外周側に位置し、軸方向他端側Ｄ２においては、上記Ｕ形状の内周側に位置する。
【００３７】
また、図１、図８に示すごとく、ステータコア２の軸方向Ｄの端部においては、スロット導体部４１の一部も突出して配置されて、立上部４１１を形成している。ステータコア２の径方向Ｒにおける外周側に位置する各相の波巻コイル部４Ｕ、４Ｖ、４Ｗのコイルエンド導体部４２は、立上部４１１において、径方向Ｒにおける外周側に屈曲変形させて配置されている。また、外周側に位置するコイルエンド導体部４２ほど、外周側への屈曲変形量が大きくなっているものが多い。なお、最も内周側に位置するコイルエンド導体部４２は、内外周の方向に屈曲変形を行っていないものもある。
【００３８】
図４に示すごとく、３相のコイル３Ｕ、３Ｖ、３Ｗにおける複数ターンの波巻コイル部４Ｕ、４Ｖ、４Ｗにおいて、スロット導体部４１を構成する複数本の角導体４０は、いずれも同一断面形状を有している。また、本例のコイルエンド導体部４２は、スロット導体部４１と同じ断面形状で形成されている。これに対し、コイルエンド導体部４２は、ステータコア２の径方向Ｒにより薄くなるよう扁平させることができる。
【００３９】
図１、図５に示すごとく、各相のコイル３Ｕ、３Ｖ、３Ｗにおいて、複数ターンの波巻コイル部４Ｕ、４Ｖ、４Ｗ同士を接続する渡線部５のすべては、ステータコア２の軸方向一端側Ｄ１に配置してある。なお、図１、図５においては、渡線部５を省略しているが、図３に示すごとく、渡線部５は、波巻コイル部４Ｕ、４Ｖ、４Ｗの端部から延長して形成することができる。
【００４０】
また、図９、図１０に示すごとく、本例の３相のコイル３Ｕ、３Ｖ、３Ｗにはスター結線が行ってあり、３相のコイル３Ｕ、３Ｖ、３Ｗの引出端部（リード線部）４４Ｕ、４４Ｖ、４４Ｗ及び中性点Ｐも、軸方向一端側Ｄ１に配置してある。
なお、各相のコイル３Ｕ、３Ｖ、３Ｗは、図９に示すごとく、例えば、７ターン分の波巻コイル部４Ｕ、４Ｖ、４Ｗを直列に接続して構成することができる。図７は、波巻コイル部４Ｕを直列に接続した場合を示す。一方、図１０に示すごとく、例えば、７ターン分の波巻コイル部４Ｕ、４Ｖ、４Ｗを適宜本数で並列に接続して構成することもできる。波巻コイル部４Ｕ、４Ｖ、４Ｗを並列に接続する場合には、詳細は省略するが、種々の構成にすることができる。
【００４１】
図５、図６、図８に示すごとく、本例のモータ用ステータ１において、各組のターンを構成する３相の波巻コイル部４Ｕ、４Ｖ、４Ｗのコイルエンド導体部４２は、ステータコア２の径方向Ｒにおける内外周に重なる角導体４０が、略２本分の径方向Ｒの幅の範囲内においてステータコア２の周方向Ｃに並べて配置してある。また、各組のターンを構成する３相の波巻コイル部４Ｕ、４Ｖ、４Ｗのうちいずれか１相の波巻コイル部４のコイルエンド導体部４２は、ステータコア２の周方向Ｃにおける中間部４２１において折れ曲がって、ステータコア２の径方向Ｒにおける内周側に位置する内周側の曲率半径によって形成された内周側導体部分４２Ａと、ステータコア２の径方向Ｒにおける外周側に位置する外周側の曲率半径によって形成された外周側導体部分４２Ｂとによって構成してある。
【００４２】
また、各組のターンを構成する３相の波巻コイル部４Ｕ、４Ｖ、４Ｗのうち残りの２相の波巻コイル部４のコイルエンド導体部４２は、一方が内周側導体部分４２Ａと略同一の曲率半径によって形成してあると共に、他方が外周側導体部分４２Ｂと略同一の曲率半径によって形成してある。
【００４３】
図５〜図７に示すごとく、Ｕ相のコイル３Ｕにおいて、すべてのターンの波巻コイル部４Ｕ（Ａ）〜（Ｄ）におけるコイルエンド導体部４２は、ステータコア２の軸方向一端側Ｄ１及び軸方向他端側Ｄ２において、同じＵ相のスロット２１Ｕ間（隣り合う２つのＵ相のスロット２１Ｕ）に掛け渡してある。
そして、ステータコア２の軸方向一端側Ｄ１及び軸方向他端側Ｄ２において、すべてのターンの波巻コイル部４Ｕ（Ａ）〜（Ｄ）におけるコイルエンド導体部４２は、周方向Ｃの全長において、ステータコア２の径方向Ｒに重なって配置されている。また、Ｖ相、Ｗ相の波巻コイル部４Ｖ、４Ｗについても、同様の構造を有している。
【００４４】
より具体的には、図５、図６に示すごとく、Ｕ相のコイルエンド導体部４２は、いずれかのＵ相のスロット２１Ｕと、Ｖ相、Ｗ相の各スロット２１Ｖ、Ｗを介して周方向Ｃに隣接する次のＵ相のスロット２１Ｕとに掛け渡されて、一対のＵ相のスロット導体部４１に繋がっている。Ｖ相のコイルエンド導体部４２は、いずれかのＶ相のスロット２１Ｖと、Ｕ相、Ｗ相の各スロット２１Ｕ、Ｗを介して周方向Ｃに隣接する次のＶ相のスロット２１Ｖとに掛け渡されて、一対のＶ相のスロット導体部４１に繋がっている。Ｗ相のコイルエンド導体部４２は、いずれかのＷ相のスロット２１Ｗと、Ｕ相、Ｖ相の各スロット２１Ｕ、Ｖを介して周方向Ｃに隣接する次のＷ相のスロット２１Ｗとに掛け渡されて、一対のＷ相のスロット導体部４１に繋がっている。
【００４５】
そして、各相のコイル３Ｕ、３Ｖ、３Ｗの波巻コイル部４Ｕ、４Ｖ、４Ｗにおいて、２本１組で３組分のターン（６ターン分）と１ターン分とによるコイルエンド導体部４２は、いずれも同じスロット２１間に掛け渡されている。
すなわち、図４、図７に示すごとく、本例のＵ相のコイル３Ｕは、ステータコア２の径方向Ｒの外方から順に、第１組（第１の２本の角導体４０の組）のターンの波巻コイル部４Ｕ（Ａ）と、第２組（第２の２本の角導体４０の組）のターンの波巻コイル部４Ｕ（Ｂ）と、第３組（第３の２本の角導体４０の組）のターンの波巻コイル部４Ｕ（Ｃ）と、第４の１本の角導体４０によるターンの波巻コイル部４Ｕ（Ｄ）とを有している。
【００４６】
そして、図７に示すごとく、第１組のターンの波巻コイル部４Ｕ（Ａ）における周方向Ｃの一方に位置するスロット導体部４１と、第２組のターンの波巻コイル部４Ｕ（Ｂ）における周方向Ｃの一方に位置するスロット導体部４１と、第３組のターンの波巻コイル部４Ｕ（Ｃ）における周方向Ｃの一方に位置するスロット導体部４１と、第４の１本の角導体４０のターンの波巻コイル部４Ｕ（Ｄ）における周方向Ｃの一方に位置するスロット導体部４１とは、いずれかのＵ相のスロット２１Ｕ内において、ステータコア２の径方向Ｒに隣接して配置されている。
また、第１組のターンの波巻コイル部４Ｕ（Ａ）における周方向Ｃの他方に位置するスロット導体部４１と、第２組のターンの波巻コイル部４Ｕ（Ｂ）における周方向Ｃの他方に位置するスロット導体部４１と、第３組のターンの波巻コイル部４Ｕ（Ｃ）における周方向Ｃの他方に位置するスロット導体部４１と、第４の１本の角導体４０のターンの波巻コイル部４Ｕ（Ｄ）における周方向Ｃの他方に位置するスロット導体部４１とは、Ｕ相（同一相）の次のスロット２１Ｕ内（上記いずれかのＵ相のスロット２１Ｕの次に位置するＵ相のスロット２１Ｕ内）において、ステータコア２の径方向Ｒに隣接して配置されている。
【００４７】
また、図６に示すごとく、ステータコア２の軸方向他端側Ｄ２において、第１組のターンの波巻コイル部４Ｕ（Ａ）において、いずれかのＵ相のスロット２１Ｕに挿入されるスロット導体部４１とＵ相（同一相）の次のスロット２１Ｕに挿入されるスロット導体部４１とを接続するコイルエンド導体部４２と、第２組のターンの波巻コイル部４Ｕ（Ｂ）において、いずれかのＵ相のスロット２１Ｕに挿入されるスロット導体部４１とＵ相（同一相）の次のスロット２１Ｕに挿入されるスロット導体部４１とを接続するコイルエンド導体部４２と、第３組のターンの波巻コイル部４Ｕ（Ｃ）において、いずれかのＵ相のスロット２１Ｕに挿入されるスロット導体部４１とＵ相（同一相）の次のスロット２１Ｕに挿入されるスロット導体部４１とを接続するコイルエンド導体部４２と、第４の１本の角導体４０のターンの波巻コイル部４Ｕ（Ｄ）において、いずれかのＵ相のスロット２１Ｕに挿入されるスロット導体部４１とＵ相（同一相）の次のスロット２１Ｕに挿入されるスロット導体部４１とを接続するコイルエンド導体部４２とは、径方向Ｒに重ねて配置されている。
【００４８】
また、図５に示すごとく、ステータコア２の軸方向一端側Ｄ１においては、渡線部５が配置される都合上、第１組のターンの波巻コイル部４Ｕ（Ａ）におけるコイルエンド導体部４２と、第２組のターンの波巻コイル部４Ｕ（Ｂ）におけるコイルエンド導体部４２と、第３組のターンの波巻コイル部４Ｕ（Ｃ）におけるコイルエンド導体部４２と、第４の１本の角導体４０のターンの波巻コイル部４Ｕ（Ｄ）におけるコイルエンド導体部４２とのうちの、３つのコイルエンド導体部４２が、径方向Ｒに重ねて配置されている。
なお、Ｖ相、Ｗ相のコイル３Ｖ、３Ｗにおいても、Ｕ相のコイル３Ｕと同様の構造を有している。
【００４９】
また、ステータコア２の軸方向一端側Ｄ１及び軸方向他端側Ｄ２において、ステータコア２の径方向Ｃの内外周に重ねて配置された複数のコイルエンド導体部４２は、３相のコイル３Ｕ、３Ｖ、３Ｗにおけるコイルエンド導体部４２のうち、いずれか２相のコイル３における複数のコイルエンド導体部４２のみである。すなわち、ステータコア２の径方向Ｃにおける各部においては、Ｕ相のコイルにおける複数のコイルエンド導体部４２と、Ｖ相のコイルにおける複数のコイルエンド導体部４２とのみが径方向Ｒの内外周に重なる場合、Ｕ相のコイルにおける複数のコイルエンド導体部４２と、Ｗ相のコイルにおける複数のコイルエンド導体部４２とのみが径方向Ｒの内外周に重なる場合、Ｖ相のコイルにおける複数のコイルエンド導体部４２と、Ｗ相のコイルにおける複数のコイルエンド導体部４２とのみが径方向Ｒの内外周に重なる場合とがある。
なお、図７において、Ｕ相、Ｖ相、Ｗ相の波巻コイル４Ｕ、４Ｖ、４Ｗにおける渡線部５は、ステータコア２の周方向Ｃにできるだけ均等に振り分けてある（図１参照）。図１は、渡線部５を接続する前の状態を示す。
【００５０】
また、図５に示すごとく、本例のモータ用ステータ１において、渡線部５によって波巻コイル部４Ｕ、４Ｖ、４Ｗ同士を接合するステータコア２の軸方向一端側Ｄ１においては、Ｗ相のコイル３Ｗにおける複数ターンの波巻コイル部４Ｗが、内周側導体部分４２Ａと外周側導体部分４２Ｂとを有する折れ曲がり形状のコイルエンド導体部４２から構成してある。また、ステータコア２の軸方向一端側Ｄ１においては、Ｕ相のコイル３Ｕにおける複数ターンの波巻コイル部４Ｕが、内周側導体部分４２Ａと略同一の曲率半径によって形成してあり、Ｖ相のコイル３Ｖにおける複数ターンの波巻コイル部４Ｖが、外周側導体部分４２Ｂと略同一の曲率半径によって形成してある。
【００５１】
一方、図６に示すごとく、ステータコア２の軸方向他端側Ｄ２においては、Ｕ相のコイル３Ｕにおける複数ターンの波巻コイル部４Ｕが、内周側導体部分４２Ａと外周側導体部分４２Ｂとを有する折れ曲がり形状のコイルエンド導体部４２から構成してある。また、ステータコア２の軸方向一端側Ｄ２においては、Ｗ相のコイル３Ｗにおける複数ターンの波巻コイル部４Ｗが、内周側導体部分４２Ａと略同一の曲率半径によって形成してあり、Ｖ相のコイル３Ｖにおける複数ターンの波巻コイル部４Ｖが、外周側導体部分４２Ｂと略同一の曲率半径によって形成してある。
【００５２】
本例のモータ用ステータ１においては、上記のごとく、ステータコア２の径方向Ｒにおける外周側に位置する（各相のスロット２１の奥側に配置する）各相の３組分の波巻コイル部４Ｕ、４Ｖ、４Ｗは、互いに交錯することなく平行に隣接する２本の角導体４０によって１組のターンを構成している。そして、２本の角導体４０は、スロット導体部４１においては、ステータコア２の周方向Ｃに隣接すると共に、コイルエンド導体部４２においては、ステータコア２の軸方向Ｄに隣接している。これにより、コイルエンド導体部４２において角導体４０を屈曲させる際には、２本分の曲げ方向の幅を有する導体４０を屈曲させる必要はなく、２本の導体４０をそれぞれ屈曲させることができる。そのため、波巻コイル部４Ｕ、４Ｖ、４Ｗを構成する角導体４０を屈曲させることが容易になり、コイルエンド部３１の成形を容易にすることができる。
【００５３】
また、上記のごとく、上記２本の角導体４０から構成した各ターン組の３相の波巻コイル部４Ｕ、４Ｖ、４Ｗにおけるコイルエンド導体部４２を、ステータコア２の径方向Ｒにおける内外周に重なる角導体４０が略２本分の径方向幅の範囲内に収まる状態で、ステータコア２の周方向Ｃに並べて配置している。これにより、コイルエンド導体部４２同士を交錯させることなくコイルエンド部３１を形成することができる。
それ故、本例のモータ用ステータ１によれば、コイルエンド部３１の成形容易化及び小型化を効果的に実現することができる。
【００５４】
（実施例２）
本例は、図１１〜図１５に示すごとく、３相の波巻コイル部４Ｕ、４Ｖ、４Ｗにおけるコイルエンド導体部４２の配置パターンが、実施例１とは異なる例を示す。
具体的には、図１３〜図１５に示すごとく、Ｕ相のコイル３Ｕについて、同じスロット２１Ｕ間（隣り合う２つのＵ相のスロット２１Ｕ）に掛け渡したコイルエンド導体部４２は、１組のターンを構成する波巻コイル部４Ｕ毎に、ステータコア２の軸方向一端側Ｄ１と軸方向他端側Ｄ２とに交互に入れ替わって配置されている。
【００５５】
本例においては、Ｕ相のコイル３Ｕにおいて、最外周側に位置する第１組（本例では２本１組の第１組）の波巻コイル部４Ｕ（Ａ）のコイルエンド導体部４２を掛け渡して配置するスロット２１Ｕ間と、この第１組の波巻コイル部４Ｕ（Ａ）の内周側に重なる第２組（本例では２本１組の第２組）の波巻コイル部４Ｕ（Ｂ）のコイルエンド導体部４２を掛け渡して配置するスロット２１Ｕ間とを、（Ｖ相、Ｗ相の合計２つのスロット分を空けるように）３スロット分ずらしている。
【００５６】
また、第２組の波巻コイル部４Ｕ（Ｂ）の内周側に重なる第３組（本例では２本１組の第３組）の波巻コイル部４Ｕ（Ｃ）のコイルエンド導体部４２を掛け渡して配置するスロット２１Ｕ間は、第１組の波巻コイル部４Ｕ（Ａ）のコイルエンド導体部４２を掛け渡して配置するスロット２１Ｕ間と同じにしている。また、最内周側に位置する１ターン分の波巻コイル部４Ｕ（Ｄ）のコイルエンド導体部４２を掛け渡して配置するスロット２１Ｕ間は、第２組の波巻コイル部４Ｕ（Ｂ）のコイルエンド導体部４２を掛け渡して配置するスロット２１Ｕ間と同じにしている。
そして、図１５に示すごとく、Ｕ相のコイル３Ｕにおける複数ターンの波巻コイル部４Ｕ（Ａ）〜（Ｄ）の渡線部５は、ステータコア２の周方向Ｃの同じ箇所に形成される。
【００５７】
なお、Ｖ相、Ｗ相のコイル３Ｖ、３Ｗの波巻コイル部４Ｖ、４Ｗにおけるコイルエンド導体部４２の配置パターンも、Ｕ相のコイル３Ｕと同様である。また、各相のコイル３Ｕ、３Ｖ、３Ｗにおける渡線部５の周方向Ｃの位置が偏らないように、適宜周方向Ｃに分布させることができる。
本例においても、その他の構成は上記実施例１と同様であり、上記実施例１と同様の作用効果を得ることができる。
【図面の簡単な説明】
【００５８】
【図１】実施例１における、渡線部を接続する前の状態のモータ用ステータを示す斜視図。
【図２】実施例１における、渡線部を接続する前の状態のモータ用ステータを、軸方向一端側から見た状態で示す平面図。
【図３】実施例１における、複数本の導体から構成した波巻コイル部を示す斜視図。
【図４】実施例１における、各相のコイルにおけるスロット導体部をスロットに配置した状態を示す説明図。
【図５】実施例１における、渡線部を接続する前の状態のモータ用ステータを、軸方向一端側から見た状態で示す平面図。
【図６】実施例１における、モータ用ステータを、軸方向他端側から見た状態で示す平面図。
【図７】実施例１における、ステータコアに組み付けた状態のＵ相のコイルを、平面状態に展開して模式的に示す説明図。
【図８】実施例１における、各相のコイルにおけるコイルエンド導体部の形成状態を、ステータコアの内周側から見た状態で模式的に示す説明図。
【図９】実施例１における、複数ターンの波巻コイル部を直列接続した３相のコイルの配線状態を模式的に示す説明図。
【図１０】実施例１における、複数ターンの波巻コイル部を並列接続した３相のコイルの配線状態を模式的に示す説明図。
【図１１】実施例２における、渡線部を接続する前の状態のモータ用ステータを示す斜視図。
【図１２】実施例２における、渡線部を接続する前の状態のモータ用ステータを、軸方向一端側から見た状態で示す平面図。
【図１３】実施例２における、渡線部を接続する前の状態のモータ用ステータを、軸方向一端側から見た状態で示す平面図。
【図１４】実施例２における、モータ用ステータを、軸方向他端側から見た状態で示す平面図。
【図１５】実施例２における、ステータコアに組み付けた状態のＵ相のコイルを、平面状態に展開して模式的に示す説明図。
【符号の説明】
【００５９】
１  モータ用ステータ
２  ステータコア
２１  スロット
３Ｕ、３Ｖ、３Ｗ  コイル
３１  コイルエンド部
４Ｕ、４Ｖ、４Ｗ  波巻コイル
４０  導体
４１  スロット導体部
４２  コイルエンド導体部
４２Ａ  内周側導体部分
４２Ｂ  外周側導体部分
４２１  中間部
５  渡線部
Ｃ  周方向
Ｒ  径方向
Ｄ  軸方向
Ｄ１  軸方向一端側
Ｄ２  軸方向他端側
【図１】
2009033831.tif 000003
【図２】
2009033831.tif 000004
【図３】
2009033831.tif 000005
【図４】
2009033831.tif 000006
【図５】
2009033831.tif 000007
【図６】
2009033831.tif 000008
【図７】
2009033831.tif 000009
【図８】
2009033831.tif 000010
【図９】
2009033831.tif 000011
【図１０】
2009033831.tif 000012
【図１１】
2009033831.tif 000013
【図１２】
2009033831.tif 000014
【図１３】
2009033831.tif 000015
【図１４】
2009033831.tif 000016
【図１５】
2009033831.tif 000017